【手続補正書】
【提出日】平成28年7月22日(2016.7.22)
【手続補正１】
【補正対象書類名】特許請求の範囲
【補正対象項目名】全文
【補正方法】変更
【補正の内容】
【特許請求の範囲】
【請求項１】
プロセッサと、
該プロセッサによって実行されるとき、装置に、
ゴルフボールと表面との間のインパクトの音に対応する音声信号を含む、表面に対するゴルフボールのインパクトから生成されたデータを受信させ、
該インパクトデータを分析して、表面とのインパクトによるゴルフボールの圧縮量を該音声信号に基づいて決定させ、かつ
インパクトの1つまたは複数の特性を明示する出力を生成させる
コンピュータ可読命令を記憶するメモリと
を含む装置。
【請求項２】
インパクトによるゴルフボールの圧縮量の決定が、
最も大きな振幅を有する音声信号の周波数を特定することと、
既定の周波数対圧縮一覧表を使用して、特定された周波数に対応する圧縮量を調べること
によって行われる、請求項1に記載の装置。
【請求項３】
命令が実行されるとき、該命令が、装置に更に、
ゴルフボールの組成、およびゴルフボールを打ち上げる、表面からの距離のうちの少なくとも1つに基づいて、前記既定の周波数対圧縮一覧表を複数の既定の周波数対圧縮一覧表から選択させる、請求項2に記載の装置。
【請求項４】
命令が実行されるとき、該命令が、装置に更に、
ゴルフボールの決定された圧縮量が既定の圧縮範囲内であるかどうかを決定させ、かつ
圧縮量が該既定の圧縮範囲内であるという決定に応じて、ゴルフボールの品質の確認を含む出力を生成させる、請求項1に記載の装置。
【請求項５】
命令が実行されるとき、該命令が、装置に更に、
圧縮量が既定の圧縮範囲内であると決定されると、ゴルフボールを第1のエリアに自動的に向けさせ、かつ
圧縮量が該既定の圧縮範囲内でないと決定されると、ゴルフボールを第2のエリアに自動的に向けさせる、請求項4に記載の装置。
【請求項６】
ゴルフボールを第1のエリアまたは第2のエリアに向けるように構成された可動アームを更に含む、請求項5に記載の装置。
【請求項７】
命令が実行されるとき、該命令が、装置に更に、
周囲ノイズの量を決定させ、かつ
該周囲ノイズの量に基づいてどの高さからゴルフボールを表面へ落とすかを選択させる、請求項1に記載の装置。
【請求項８】
ゴルフボールを落とす高さの選択が、
ゴルフボールと表面との間のインパクトが周囲ノイズの強さを上回る音の強さを有すると予想される高さを決定することを含む、請求項7に記載の装置。
【請求項９】
ゴルフボールを落とす高さの選択が、
ゴルフボールと表面との間のインパクトが周囲ノイズの強さを指定の量だけ上回る音の強さを有すると予想される高さを決定することを含む、請求項7に記載の装置。
【請求項１０】
ゴルフボールと表面との間のインパクトの音に対応する音声信号を含む、表面に対するゴルフボールのインパクトから生成されたデータを、コンピューティングデバイスによって受信する段階、
該インパクトデータをコンピューティングデバイスによって分析し、該音声信号に基づいて表面とのインパクトによるゴルフボールの圧縮量を決定する段階、および
インパクトの1つまたは複数の特性を明示する出力を生成する段階
を含む方法。
【請求項１１】
インパクトによるゴルフボールの圧縮量を決定する段階が、
最も大きな振幅を有する音声信号の周波数を特定することと、
既定の周波数対圧縮一覧表を使用して、特定された周波数に対応する圧縮量を調べること
によって行われる、請求項10に記載の方法。
【請求項１２】
ゴルフボールの組成、およびゴルフボールを打ち上げる、表面からの距離のうちの少なくとも1つに基づいて、前記既定の周波数対圧縮一覧表を複数の既定の周波数対圧縮一覧表から選択する段階
を更に含む、請求項11に記載の方法。
【請求項１３】
ゴルフボールの決定された圧縮量が既定の圧縮範囲内であるかどうかを決定する段階、および
圧縮量が該既定の圧縮範囲内であるという決定に応じて、ゴルフボールの品質の確認を含む出力を生成する段階
を更に含む、請求項10に記載の方法。
【請求項１４】
圧縮量が既定の圧縮範囲内であると決定されると、ゴルフボールを第1のエリアに自動的に向ける段階、および
圧縮量が該既定の圧縮範囲内でないと決定されると、ゴルフボールを第2のエリアに自動的に向ける段階
を更に含む、請求項13に記載の方法。
【請求項１５】
周囲ノイズの量を決定する段階、および
該周囲ノイズの量に基づいてどの高さからゴルフボールを表面へ落とすかを選択する段階
を更に含む、請求項10に記載の方法。
【請求項１６】
どの高さからゴルフボールを落とすかを選択する段階が、
ゴルフボールと表面との間のインパクトが周囲ノイズの強さを上回る音の強さを有すると予想される高さを決定することを含む、請求項15に記載の方法。
【請求項１７】
どの高さからゴルフボールを落とすかを選択する段階が、
ゴルフボールと表面との間のインパクトが周囲ノイズの強さを指定の量だけ上回る音の強さを有すると予想される高さを決定することを含む、請求項15に記載の方法。
【請求項１８】
実行されるとき、請求項10〜17のいずれか一項に記載の方法を装置に行わせるコンピュータ実行可能な命令を記憶する、非一時的なコンピュータ可読媒体。
【手続補正２】
【補正対象書類名】明細書
【補正対象項目名】００１０
【補正方法】変更
【補正の内容】
【００１０】
他の局面によれば、モバイル通信デバイスが、ゴルフボールのインパクト音を検出し、様々なインパクト特性を決定するように構成され得る。一つの例において、モバイル通信デバイスは、ゴルフボールのインパクトの音を記録し、ゴルフクラブヘッドに対するゴルフボールのインパクト位置を視覚的に指示し得る。
[本発明1001]
実行されるとき、装置に、
ゴルフボールと表面との間のインパクトの音に対応する音声信号を含む、表面に対するゴルフボールのインパクトから生成されたデータを受信させ、
該インパクトデータを分析して、表面とのインパクトによるゴルフボールの圧縮量を該音声信号に基づいて決定させ、かつ
インパクトの1つまたは複数の特性を明示する出力を生成させる
命令を記憶する非一時的なコンピュータ可読媒体。
[本発明1002]
インパクトによるゴルフボールの圧縮量の決定が、
最も大きな振幅を有する音声信号の周波数を特定することと、
既定の周波数対圧縮一覧表を使用して、特定された周波数に対応する圧縮量を調べること
によって行われる、本発明1001の非一時的なコンピュータ可読媒体。
[本発明1003]
命令が実行されるとき、該命令が、装置に更に、
ゴルフボールの組成、およびゴルフボールを打ち上げる、表面からの距離のうちの少なくとも1つに基づいて、前記既定の周波数対圧縮一覧表を複数の既定の周波数対圧縮一覧表から選択させる、本発明1002の非一時的なコンピュータ可読媒体。
[本発明1004]
命令が実行されるとき、該命令が、装置に更に、
ゴルフボールの決定された圧縮量が既定の圧縮範囲内であるかどうかを決定させ、かつ
圧縮量が該既定の圧縮範囲内であるという決定に応じて、ゴルフボールの品質の確認を含む出力を生成させる、本発明1001の非一時的なコンピュータ可読媒体。
[本発明1005]
命令が実行されるとき、該命令が、装置に更に、
圧縮量が既定の圧縮範囲内であると決定されると、ゴルフボールを第1のエリアに自動的に向けさせ、かつ
圧縮量が該既定の圧縮範囲内でないと決定されると、ゴルフボールを第2のエリアに自動的に向けさせる、本発明1005の非一時的なコンピュータ可読媒体。
[本発明1006]
命令が実行されるとき、該命令が、装置に更に、
周囲ノイズの量を決定させ、かつ
該周囲ノイズの量に基づいてどの高さからゴルフボールを表面へ落とすかを選択させる、本発明1001の非一時的なコンピュータ可読媒体。
[本発明1007]
ゴルフボールを落とす高さの選択が、
ゴルフボールと表面との間のインパクトが周囲ノイズの強さを上回る音の強さを有すると予想される高さを決定することを含む、本発明1006の非一時的なコンピュータ可読媒体。
[本発明1008]
ゴルフボールを落とす高さの選択が、
ゴルフボールと表面との間のインパクトが周囲ノイズの強さを指定の量だけ上回る音の強さを有すると予想される高さを決定することを含む、本発明1006の非一時的なコンピュータ可読媒体。
[本発明1009]
プロセッサと、
該プロセッサによって実行されるとき、装置に、
ゴルフボールと表面との間のインパクトの音に対応する音声信号を含む、表面に対するゴルフボールのインパクトから生成されたデータを受信させ、
該インパクトデータを分析して、表面とのインパクトによるゴルフボールの圧縮量を該音声信号に基づいて決定させ、かつ
インパクトの1つまたは複数の特性を明示する出力を生成させる
コンピュータ可読命令を記憶するメモリと
を含む装置。
[本発明1010]
インパクトによるゴルフボールの圧縮量の決定が、
最も大きな振幅を有する音声信号の周波数を特定することと、
既定の周波数対圧縮一覧表を使用して、特定された周波数に対応する圧縮量を調べること
によって行われる、本発明1009の装置。
[本発明1011]
命令が実行されるとき、該命令が、装置に更に、
ゴルフボールの組成、およびゴルフボールを打ち上げる、表面からの距離のうちの少なくとも1つに基づいて、前記既定の周波数対圧縮一覧表を複数の既定の周波数対圧縮一覧表から選択させる、本発明1010の装置。
[本発明1012]
命令が実行されるとき、該命令が、装置に更に、
ゴルフボールの決定された圧縮量が既定の圧縮範囲内であるかどうかを決定させ、かつ
圧縮量が該既定の圧縮範囲内であるという決定に応じて、ゴルフボールの品質の確認を含む出力を生成させる、本発明1009の装置。
[本発明1013]
命令が実行されるとき、該命令が、装置に更に、
圧縮量が既定の圧縮範囲内であると決定されると、ゴルフボールを第1のエリアに自動的に向けさせ、かつ
圧縮量が該既定の圧縮範囲内でないと決定されると、ゴルフボールを第2のエリアに自動的に向けさせる、本発明1012の装置。
[本発明1014]
ゴルフボールを第1のエリアまたは第2のエリアに向けるように構成された可動アームを更に含む、本発明1013の装置。
[本発明1015]
命令が実行されるとき、該命令が、装置に更に、
周囲ノイズの量を決定させ、かつ
該周囲ノイズの量に基づいてどの高さからゴルフボールを表面へ落とすかを選択させる、本発明1009の装置。
[本発明1016]
ゴルフボールを落とす高さの選択が、
ゴルフボールと表面との間のインパクトが周囲ノイズの強さを上回る音の強さを有すると予想される高さを決定することを含む、本発明1015の装置。
[本発明1017]
ゴルフボールを落とす高さの選択が、
ゴルフボールと表面との間のインパクトが周囲ノイズの強さを指定の量だけ上回る音の強さを有すると予想される高さを決定することを含む、本発明1015の装置。
[本発明1018]
ゴルフボールと表面との間のインパクトの音に対応する音声信号を含む、表面に対するゴルフボールのインパクトから生成されたデータを、コンピューティングデバイスによって受信する段階、
該インパクトデータをコンピューティングデバイスによって分析し、該音声信号に基づいて表面とのインパクトによるゴルフボールの圧縮量を決定する段階、および
インパクトの1つまたは複数の特性を明示する出力を生成する段階
を含む方法。
[本発明1019]
インパクトによるゴルフボールの圧縮量を決定する段階が、
最も大きな振幅を有する音声信号の周波数を特定することと、
既定の周波数対圧縮一覧表を使用して、特定された周波数に対応する圧縮量を調べること
によって行われる、本発明1018の方法。
[本発明1020]
ゴルフボールの組成、およびゴルフボールを打ち上げる、表面からの距離のうちの少なくとも1つに基づいて、前記既定の周波数対圧縮一覧表を複数の既定の周波数対圧縮一覧表から選択する段階
を更に含む、本発明1019の方法。
[本発明1021]
ゴルフボールの決定された圧縮量が既定の圧縮範囲内であるかどうかを決定する段階、および
圧縮量が該既定の圧縮範囲内であるという決定に応じて、ゴルフボールの品質の確認を含む出力を生成する段階
を更に含む、本発明1018の方法。
[本発明1022]
圧縮量が既定の圧縮範囲内であると決定されると、ゴルフボールを第1のエリアに自動的に向ける段階、および
圧縮量が該既定の圧縮範囲内でないと決定されると、ゴルフボールを第2のエリアに自動的に向ける段階
を更に含む、本発明1021の方法。